(57)【特許請求の範囲】
【請求項１】
筐体と、
前記筐体内に配置され、放射線を電気信号に変換する画素が二次元状に配列された検出部と、
前記筐体内に配置され前記検出部を制御する制御部と、
前記検出部の画素領域の全面と重なり合って配置され、放射線を遮蔽する遮蔽部と、を備える放射線撮像装置であって、
前記遮蔽部は、前記検出部と前記制御部との間に配置される第１の遮蔽部材と、前記筐体から取り外し可能な第２の遮蔽部材とを有し、
前記第２の遮蔽部材は、乳房撮影に用いられる自動露出制御用Ｘ線検出器の可動領域を包含する大きさであることを特徴とする放射線撮像装置。
【請求項２】
前記第１の遮蔽部材と前記第２の遮蔽部材とは、一部が重なり合って配置されていることを特徴とする請求項１に記載の放射線撮像装置。
【請求項３】
前記筐体に対して着脱可能な着脱筐体を有し、
前記第２の遮蔽部材は、前記着脱筐体内に配置され、前記筐体から前記着脱筐体が離脱されることで前記筐体から取り外されることを特徴とする請求項１または２に記載の放射線撮像装置。
【請求項４】
前記着脱筐体は、前記筐体に装着されたときに、前記筐体の側壁部を覆うカバー部を有することを特徴とする請求項３に記載の放射線撮像装置。
【請求項５】
前記筐体の側壁部と、前記検出部の画素領域端との距離が２ｍｍ未満であることを特徴とする請求項４に記載の放射線撮像装置。
【請求項６】
乳房撮影するときに前記第２の遮蔽部材が前記筐体から取り外されていないことを報知する報知部を有することを特徴とする請求項１ないし５の何れか１項に記載の放射線撮像装置。
【請求項７】
筐体と、
前記筐体内に配置され、放射線を電気信号に変換する画素が二次元状に配列された検出部と、
前記筐体内に配置され前記検出部を制御する制御部と、
前記検出部の画素領域の全面と重なり合って配置され、放射線を遮蔽する遮蔽部と、を備え、
前記遮蔽部は、前記検出部と前記制御部との間に配置される第１の遮蔽部材と、前記筐体から取り外し可能な第２の遮蔽部材とを有し、
前記第２の遮蔽部材は、乳房撮影に用いられる自動露出制御用Ｘ線検出器の可動領域を包含する大きさである放射線撮像装置の制御方法であって、
前記第２の遮蔽部材が取り付けられているか否かを判定する判定ステップと、
前記判定ステップでの判定に応じてユーザに報知する報知ステップと、を有することを特徴とする制御方法。
【請求項８】
筐体と、
前記筐体内に配置され、放射線を電気信号に変換する画素が二次元状に配列された検出部と、
前記筐体内に配置され前記検出部を制御する制御部と、
前記検出部の画素領域の全面と重なり合って配置され、放射線を遮蔽する遮蔽部と、を備え、
前記遮蔽部が、前記検出部と前記制御部との間に配置される第１の遮蔽部材と、前記筐体から取り外し可能な第２の遮蔽部材とを有し、
前記第２の遮蔽部材は、乳房撮影に用いられる自動露出制御用Ｘ線検出器の可動領域を包含する大きさである放射線撮像装置に、
前記第２の遮蔽部材が取り付けられているか否かを判定する判定ステップと、
前記判定ステップでの判定に応じてユーザに報知する報知ステップと、を実行させるためのプログラム。
【発明の詳細な説明】
【技術分野】
【０００１】
本発明は、放射線撮像装置、その制御方法およびプログラムに関するものである。
【背景技術】
【０００２】
放射線撮影の一般的な方式としては、フィルム／スクリーン方式やＣＲ方式が挙げられる。これらの方式では、感光性フィルム或いは潜像として画像を蓄積する蛍光体プレートを、非特許文献１で規格化されているフィルムカセッテといわれる収納ケースに収容して撮影に用いる。
【０００３】
また、乳房用撮像装置では、安定して適切なフィルム濃度を得るために、カセッテの下部に設置するＡＥＣと呼ばれる自動露出制御用Ｘ線検出器で乳房の中心部を透過した放射線量を計測し自動露出制御を行う必要がある。非特許文献１には、乳房撮影用フィルムカセッテにおいて自動露出制御用Ｘ線検出器の可動領域内のＸ線減弱が均一になるように設計することが定められるなど、固有の要件が規格化されている。
【０００４】
一方、実装技術の向上に伴い、より迅速かつ広範囲な部位の撮影を可能にするため、薄型で軽量な可搬型の電子カセッテが製品化されている。特許文献１には、フィルムカセッテサイズと同外形サイズで作成された電子カセッテが開示されている。
【先行技術文献】
【特許文献】
【０００５】
【特許文献１】特開平０７−１４０２５５号公報
【非特許文献】
【０００６】
【非特許文献１】ＪＩＳ  Ｚ  ４９０５（ＩＳＯ４０９０）
【発明の概要】
【発明が解決しようとする課題】
【０００７】
近年における電子カセッテは、無線通信・給電といったワイヤレス機能が実装されており、操作性の向上が図られている。また、フリーポジションでの使用や立位架台や寝台などへの組込といった撮影室内で条件に応じた様々な撮影環境で使用されるため、設置状態によっては撮影領域を均一に遮蔽しＸ線の後方散乱による画質影響を考慮した設計が必要となる。一方、乳房撮影をする場合には、自動露出制御用Ｘ線検出器の可動領域内のＸ線減弱を考慮した設計が必要となる。しかしながら、特許文献１に開示された電子カセッテは、両方の設計を考慮したものではない。
【０００８】
本発明は上述したような課題に鑑みてなされたものであり、乳房撮影にも用いることができる放射線撮像装置を提供することを目的とする。
【課題を解決するための手段】
【０００９】
本発明は、筐体と、前記筐体内に配置され、放射線を電気信号に変換する画素が二次元状に配列された検出部と、前記筐体内に配置され前記検出部を制御する制御部と、前記検出部の画素領域の全面と重なり合って配置され、放射線を遮蔽する遮蔽部と、を備える放射線撮像装置であって、前記遮蔽部は、前記検出部と前記制御部との間に配置される第１の遮蔽部材と、前記筐体から取り外し可能な第２の遮蔽部材とを有し、前記第２の遮蔽部材は、乳房撮影に用いられる自動露出制御用Ｘ線検出器の可動領域を包含する大きさであることを特徴とする。
【発明の効果】
【００１０】
本発明によれば、乳房撮影にも用いることができる。
【図面の簡単な説明】
【００１１】
【図１】第１実施形態の電子カセッテを示す図である。
【図２】電子カセッテの一部を拡大した図である。
【図３】遮蔽部の構成を示す図である。
【図４】第１実施形態の電子カセッテの変形例を示す図である。
【図５】第２実施形態の電子カセッテを示す図である。
【図６】電子カセッテの斜視図である。
【図７】制御回路部の機能構成を示す図である。
【図８】制御回路部による処理を示すフローチャートである。
【発明を実施するための形態】
【００１２】
以下、本発明の好適な実施形態について図面を参照して説明する。
（第１実施形態）
図１は、本実施形態に係る可搬型の放射線撮像装置（以下、電子カセッテ）の構成を示す図である。図１（ａ）は電子カセッテの平面断面図である。図１（ｂ）は電子カセッテの側面断面図であり、図１（ａ）のＩ−Ｉ線断面図である。
【００１３】
電子カセッテ１００は、非特許文献１で規格化されたカセッテと同等の外形形状およびサイズで形成される。電子カセッテ１００は、構成部材を収容する筐体１０１を有する。筐体１０１は、４つの側壁部１０１ａ〜１０１ｄと、２つの面部１０１ｅ、１０１ｆにより構成される。側壁部１０１ａには、外部装置からの電源供給やデータ通信を行うケーブルと接続可能な外部接続端子部１０２が配置される。また、側壁部１０１ｃは乳房撮影において被検者の胸壁と対面する。また、２つの面部１０１ｅ、１０１ｆのうち放射線入射側が面部１０１ｅであって、放射線透過率の高い材料によって形成される。
【００１４】
筐体１０１（筐体内）には放射線画像センサ１０３が配置される。放射線画像センサ１０３は、検出部としての撮像検出パネル１０４を有する。撮像検出パネル１０４は、絶縁性基板（例えば、ガラス基板）上に放射線を電荷に変換するための変換素子と、当該電荷に基づく電気信号を転送するためのスイッチ素子とを有する画素デバイス（画素）が二次元状に複数配列される。
【００１５】
ここで、撮像検出パネル１０４の画素領域端と、側壁部１０１ｃとの距離（以下、画素胸壁間距離）は、非特許文献１で規格化されている２ｍｍ未満となるように構成される。図２は、図１（ａ）に示すＲ部分に相当し、筐体１０１と撮像検出パネル１０４との関係を示す拡大図である。図２では画素領域１０４ａを二点鎖線で示している。図２に示すように、画素領域１０４ａの端と、側壁部１０１ｃの外面との間の距離が画素胸壁間距離Ｌである。
【００１６】
撮像検出パネル１０４は、フレキシブル回路基板１０５を介して読出回路部１０６に接続され、フレキシブル回路基板１０７を介して駆動回路部１０８に接続される。読出回路部１０６は、撮像検出パネル１０４の画素デバイスからの電気信号を読み出す。駆動回路部１０８は、スイッチ素子を導通するための電圧を有する駆動信号をスイッチ素子に供給する。なお、本実施形態の撮像検出パネル１０４には、放射線を光へ変換するシンチレータ（不図示）が設けられる。
【００１７】
筐体１０１の厚み方向における略中央には、保持基台１１０が配置される。保持基台１１０の放射線入射側である第一面には、後述する第１の遮蔽部材１１１を介して撮像検出パネル１０４が保持される。また、保持基台１１０の第一面とは反対側の第二面には、読出回路部１０６、駆動回路部１０８が保持される。更に、保持基台１１０の第二面には、電気信号制御や直流電圧変換などを行う制御部としての制御回路部１１２、１１３が保持される。ここで、読出回路部１０６、駆動回路部１０８、制御回路部１１２、１１３は、非特許文献１で規格化されている自動露出制御用Ｘ線検出器の可動領域（図１（ａ）の二点鎖線内で示す領域Ａ）（以下、ＡＥＣ領域）以外に配置される。
【００１８】
筐体１０１内には遮蔽部として、第１の遮蔽部材１１１と第２の遮蔽部材１１４とが配置される。第１の遮蔽部材１１１および第２の遮蔽部材１１４は、例えば、Ｐｂ、Ｂａ、Ｔａ、Ｍｏ、Ｗの何れの重金属を含む材料や、ステンレス鋼などといった放射線を遮蔽する材料から形成される。本実施形態では、第１の遮蔽部材１１１が保持基台１１０の第一面側に配置され、第２の遮蔽部材１１４が保持基台１１０の第二面側に配置される。
【００１９】
図３は、遮蔽部を抜き出して示した図である。第１の遮蔽部材１１１と第２の遮蔽部材１１４とは、放射線を隙間なく遮蔽するように配置される。具体的には、第１の遮蔽部材１１１と第２の遮蔽部材１１４とは、一部すなわち図３に示すグレー部分が重なり合う形状に形成される。また、図３には撮像検出パネル１０４の画素領域１０４ａを二点鎖線で示している。図３に示すように、第１の遮蔽部材１１１と第２の遮蔽部材１１４とを合わせた領域は、画素領域１０４ａの全面と重なり合う。
【００２０】
第２の遮蔽部材１１４は、ＡＥＣ領域を包含する大きさに形成され、筐体１０１から分離可能、すなわち取り外し可能である。具体的には、第２の遮蔽部材１１４は、筐体１０１の側壁部１０１ｃに形成された開口１１５（図１（ａ）参照）を通して取り付け、取り外しができる。したがって、第２の遮蔽部材１１４を筐体１０１に取り付けることで、通常の放射線撮像装置として用いることができる。すなわち、第１の遮蔽部材１１１と第２の遮蔽部材１１４により放射線の後方散乱による画質低下を抑制させた撮影が可能である。一方、第２の遮蔽部材１１４を筐体１０１から取り外すことで、電子カセッテ１００に照射された放射線は第２の遮蔽部材１１４が存在しない領域、すなわちＡＥＣ領域を通して、筐体１０１の面部１０１ｆに透過する。したがって、電子カセッテ１００の下側に図示しない自動露出制御用Ｘ線検出器を設置することで、電子カセッテ１００に照射された放射線の線量を計測することができ、乳房撮影に用いることができる。
【００２１】
なお、筐体１０１を含むＡＥＣ領域は、放射線減弱の差が５％未満の構造となっている。すなわち、第２の遮蔽部材１１４を筐体１０１から取り外した状態で、所定の線量の放射線を面部１０１ｅからＡＥＣ領域に照射した場合に、筐体１０１を透過する放射線の線量を計測したときの透過の差が５％未満である。
【００２２】
このように、本実施形態によれば、筐体１０１から第２の遮蔽部材１１４を取り外すことで乳房撮影に用いることができる。
【００２３】
なお、上述した実施形態では、第１の遮蔽部材１１１は保持基台１１０の第一面に配置される場合について説明したが、この場合に限られない。すなわち、第１の遮蔽部材１１１は、撮像検出パネル１０４と各種回路基板（制御回路部１１２、１１３）との間に配置されていれば、保持基台１１０の第一面、第二面または保持基台１１０の中間層の何れに配置されていてもよい。
【００２４】
また、放射線画像センサ１０３の放射線入射側に対して反対側の面でＡＥＣ領域に配置される部材のうち、第２の遮蔽部材１１４以外の部材は、例えば炭素繊維素材などの放射線透過率の高い部材で構成される。
【００２５】
また、上述した実施形態では、外部接続端子部１０２に接続されるケーブルから電源供給やデータ通信を行う場合について説明したが、この場合に限られず、図４に示すように二次電池、無線モジュール部およびアンテナ部を有していてもよい。
【００２６】
図４は、電子カセッテ１００の変形例を示す図である。
図４に示すように、二次電池１１６、無線モジュール部１１７およびアンテナ部１１８は、ＡＥＣ領域以外に配置される。二次電池１１６は、駆動用の電力を供給する。無線モジュール部１１７およびアンテナ部１１８は、外部装置に画像信号を無線送信したり、信号を無線受信したりする無線送受信部として機能する。このように、二次電池１１６、無線モジュール部１１７、アンテナ部１１８を電子カセッテ１００に内蔵することで、電子カセッテ１００の可搬性を向上させることができる。
【００２７】
（第２実施形態）
第２実施形態では、第１実施形態と同様に第２の遮蔽部材１１４を取り外すことで乳房撮影に用いることができると共に、利便性および堅牢性を向上させた電子カセッテ２００について説明する。なお、第１実施形態の電子カセッテ１００と同様の構成は、同一符号を付して適宜、その説明を省略する。
【００２８】
図５は、本実施形態に係る電子カセッテの構成を示す図である。図５（ａ）は電子カセッテの平面断面図である。図５（ｂ）は電子カセッテの側面断面図であり、図５（ａ）のＩＩ−ＩＩ線断面図である。図６は、電子カセッテの斜視図であって、放射線入射側の反対側から見た図である。
【００２９】
電子カセッテ２００は、筐体２０１（以下、メイン筐体）と、メイン筐体２０１に対して着脱可能な着脱筐体２０２とを有する。ここで、図６（ａ）は着脱筐体２０２をメイン筐体２０１に装着した状態を示し、図６（ｂ）は着脱筐体２０２をメイン筐体２０１から離脱した状態を示している。図６（ｂ）に示すように、メイン筐体２０１は着脱筐体２０２を収容する収容部２０３が形成され、図示しないロック機構により収容部２０３に着脱筐体２０２を着脱可能に取り付ける。
【００３０】
メイン筐体２０１は、非特許文献１で規格化されたカセッテと同等の外形形状およびサイズで形成される。メイン筐体２０１は独立して剛性や電磁シールド、遮光エンクロージャが確保されている。
【００３１】
メイン筐体２０１は、４つの側壁部２０１ａ〜２０１ｄと、２つの面部２０１ｅ、２０１ｆ、対面部２０１ｇなどにより構成される。側壁部２０１ａには、外部接続端子部１０２が配置される。また、側壁部２０１ｃは着脱筐体２０２がメイン筐体２０１から離脱されることで露出され、乳房撮影において被検者の胸壁と対面する。図６（ｂ）に示すように、対面部２０１ｇは、収容部２０３に装着される着脱筐体２０２と対面する面である。対面部２０１ｇは、ＡＥＣ領域を包含する大きさであって、例えば炭素繊維素材など放射線透過率の高い部材で形成される。
【００３２】
また、メイン筐体２０１内には放射線画像センサ１０３が配置される。放射線画像センサ１０３は、撮像検出パネル１０４を有する。ここで、撮像検出パネル１０４の画素領域端と、側壁部２０１ｃとの画素胸壁間距離Ｌは、第１実施形態と同様に２ｍｍ未満である。
【００３３】
撮像検出パネル１０４は、フレキシブル回路基板１０５を介して読出回路部１０６に接続され、フレキシブル回路基板１０７を介して駆動回路部１０８に接続される。なお、本実施形態の撮像検出パネル１０４には、放射線を光へ変換する図示しないシンチレータ（不図示）が設けられる。
【００３４】
メイン筐体２０１の厚み方向における略中央には、保持基台１１０が配置される。保持基台１１０の放射線入射側の第一面には、第１の遮蔽部材１１１を介して撮像検出パネル１０４が保持される。また、保持基台１１０の第一面とは反対側の第二面には、読出回路部１０６、駆動回路部１０８が保持される。更に、保持基台１１０の第二面には、制御回路部１１２、１１３が保持される。ここで、読出回路部１０６、駆動回路部１０８、制御回路部１１２、１１３は、ＡＥＣ領域以外に配置される。メイン筐体２０１を含むＡＥＣ領域は、放射線減弱の差が５％未満の構造となっている。すなわち、着脱筐体２０２をメイン筐体２０１から離脱させた状態で、所定の線量の放射線を面部２０１ｅからＡＥＣ領域に照射した場合に、メイン筐体２０１を透過する放射線の線量を計測したときの透過の差が５％未満である。また、図６（ｂ）に示すように、収容部２０３には着脱筐体２０２の後述する制御回路基板と電気的に接続される端子部２０４が設けられる。
【００３５】
着脱筐体２０２は、本体部２０５とカバー部２０６とを有する。本体部２０５は、平面視で凸形状に形成され、メイン筐体２０１の収容部２０３に収容される。カバー部２０６は、本体部２０５が収容部２０３に収容されたときにメイン筐体２０１の側壁部２０１ｃを覆う。着脱筐体２０２は、剛性の高い材料（金属や炭素繊維など）を主体として形成される。
【００３６】
着脱筐体２０２（着脱筐体内）には、第２の遮蔽部材１１４が配置される。第２の遮蔽部材１１４は、ＡＥＣ領域を包含する大きさに形成される。なお、第１の遮蔽部材１１１と第２の遮蔽部材１１４とは、第１実施形態と同様に、図３に示すグレー部分が重なり合う形状に形成される。また、第１の遮蔽部材１１１と第２の遮蔽部材１１４とを合わせた領域は、画素領域１０４ａの全面と重なり合う。
【００３７】
また、着脱筐体２０２には、バッテリとしての二次電池２０７、無線モジュール部２０８、アンテナ部２０９、ユーザＩＦ部２１０、制御回路基板２１１が配置される。具体的には、二次電池２０７、無線モジュール部２０８および制御回路基板２１１が本体部２０５に配置される。アンテナ部２０９およびユーザＩＦ部２１０がカバー部２０６に配置される。
【００３８】
二次電池２０７は、放射線画像センサ１０３を含む電子カセッテ２００の各部に、駆動用（動作用）の電力を供給する。なお、二次電池２０７の構成は特に限定されるものではなく、公知の各種二次電池を用いることができる。無線モジュール部２０８およびアンテナ部２０９は、外部装置に画像信号を無線送信したり、信号を無線受信したりする無線送受信部として機能する。ユーザＩＦ部２１０は、電源ＯＮ／ＯＦＦのボタンや、電子カセッテ２００のステータスを表示する表示部などを有する。制御回路基板２１１は、無線モジュール部２０８、アンテナ部２０９およびユーザＩＦ部２１０を制御する。制御回路基板２１１には、端子部２０４に接続されるコネクタ２１２が設けられる。
【００３９】
したがって、メイン筐体２０１の収容部２０３に着脱筐体２０２を装着することで、メイン筐体２０１の端子部２０４と着脱筐体２０２のコネクタ２１２とが接続され、ワイヤレスの電子カセッテとして機能する。この場合、第１の遮蔽部材１１１と第２の遮蔽部材１１４により放射線の後方散乱による画質低下を抑制させた撮影が可能である。一方、メイン筐体２０１から着脱筐体２０２を離脱させることで第２の遮蔽部材１１４がメイン筐体２０１から取り外される。したがって、電子カセッテ２００に照射された放射線は第２の遮蔽部材１１４が存在しない領域、すなわちＡＥＣ領域を通して、メイン筐体２０１の対面部２０１ｇに透過する。したがって、電子カセッテ２００の下側に図示しない自動露出制御用Ｘ線検出器を設置することで、電子カセッテ２００に照射された放射線の線量を計測することができ、乳房撮影に用いることができる。なお、メイン筐体２０１から着脱筐体２０２を離脱させた場合には、外部接続端子部１０２にケーブルを接続することで、電源供給やデータ通信を行うことができる。
【００４０】
また、本実施形態の電子カセッテ２００は、着脱筐体２０２のカバー部２０６がメイン筐体２０１の側壁部２０１ｃを覆うことから、電子カセッテ２００の堅牢性を向上させることができる。また、比較的大きなスペースが形成されている着脱筐体２０２内に二次電池２０７を搭載することにより、容量が大きな二次電池２０７を搭載でき、電子カセッテ２００の利便性を向上させることができる。
【００４１】
次に、電子カセッテ２００の制御回路部１１２が実行する制御方法について説明する。まず、制御回路部１１２の機能構成について図７を参照して説明する。図７は、制御回路部１１２の機能構成の一例を示す図である。
【００４２】
制御回路部１１２は、操作制御部２２０、判定部２２１、報知部２２２、決定部２２３を有する。操作制御部２２０は、ユーザの操作を受け付ける。判定部２２１は、メイン筐体２０１に着脱筐体２０２が装着されているか否かを判定する。報知部２２２は、ユーザにエラーや警告を報知する。決定部２２３は、撮影条件を決定して撮影を開始する。
【００４３】
次に、制御回路部１１２による処理について図８のフローチャートを参照して説明する。図８のフローチャートは、ユーザが撮影条件として『乳房撮影』または『乳房撮影』以外を選択することで開始される。ここでは、『乳房撮影』以外を『通常撮影』として説明する。
【００４４】
ステップＳ１０１では、操作制御部２２０は撮影条件が『乳房撮影』であるか否かをユーザが選択した撮影条件に基づいて判定する。ユーザはユーザＩＦ部２１０などを操作することで撮影条件を選択することができる。『乳房撮影』が選択された場合にはステップＳ１０２に進み、『乳房撮影』が選択されていない場合にはステップＳ１０６に進む。
【００４５】
ステップＳ１０２では、判定部２２１は着脱筐体２０２が装着されているか否かを判定する。着脱筐体２０２が装着されていない場合にはステップＳ１０３に進み、着脱筐体２０２が装着されている場合にはステップＳ１０４に進む。判定部２２１は着脱筐体２０２の制御回路基板２１１から応答がある場合には着脱筐体２０２が装着されていると判定し、応答がない場合には着脱筐体２０２が装着されていないと判定することができる。
【００４６】
ステップＳ１０３では、決定部２２３は選択された『乳房撮影』に撮影条件を決定し、放射線の撮影を開始する。すなわち、着脱筐体２０２の第２の遮蔽部材１１４が取り外されているために、ＡＥＣ領域から電子カセッテ２００の下側に放射線が透過される。したがって、電子カセッテ２００の下側に設置された自動露出制御用Ｘ線検出器は電子カセッテ２００に照射された放射線の線量が規格内であるかを計測でき、乳房撮影を行うことが可能である。
【００４７】
一方、ステップＳ１０４では、報知部２２２はユーザにエラーを報知する。具体的には、報知部２２２は着脱筐体２０２が装着されている旨を、ユーザＩＦ部２１０を介して表示したり、図示しない音声発生部を介して音声を発したりすることで、エラーを報知することができる。
【００４８】
ステップＳ１０５では、判定部２２１は着脱筐体２０２が離脱されるのを待機し、離脱された場合にはエラーの報知を解除して、ステップＳ１０３に進む。ステップＳ１０３では、決定部２２３は選択された『乳房撮影』に撮影条件を決定し、放射線の撮影を開始する。
【００４９】
一方、ステップＳ１０１からステップＳ１０６に進むと、判定部２２１は着脱筐体２０２が装着されているか否かを判定する。着脱筐体２０２が装着されている場合にはステップＳ１０３に進み、着脱筐体２０２が装着されていない場合にはステップＳ１０７に進む。
【００５０】
ステップＳ１０３では、決定部２２３は選択された『通常撮影』に撮影条件を決定し、放射線の撮影を開始する。すなわち、着脱筐体２０２の第２の遮蔽部材１１４が取り付けられているために、第１の遮蔽部材１１１と第２の遮蔽部材１１４により放射線の後方散乱による画質低下を抑制させた撮影が可能である。
【００５１】
ステップＳ１０７では、報知部２２２はユーザに警告を報知する。具体的には、報知部２２２は着脱筐体２０２が装着されていない旨をユーザＩＦ部２１０を介して表示したり、図示しない音声発生部を介して音声を発したりすることで、警告を報知することができる。
【００５２】
ステップＳ１０８では、操作制御部２２０はユーザにより『決定』が選択されたか否かを判定する。『決定』が選択されていない場合にはステップＳ１０９に進み、『決定』が選択された場合には警告の報知を解除してステップＳ１０３に進む。ステップＳ１０３では、決定部２２３は選択された『通常撮影』に撮影条件を決定し、放射線の撮影を開始する。このように、『通常撮影』では着脱筐体２０２を取り外したままでも撮影が可能である。
【００５３】
ステップＳ１０９では、判定部２２１は着脱筐体２０２の装着を待機し、着脱筐体２０２が装着された場合には警告の報知を解除してステップＳ１０３に進む。ステップＳ１０３では、決定部２２３は選択された『通常撮影』に撮影条件を決定し、放射線の撮影を開始する。
【００５４】
以上のように本実施形態によれば、乳房撮影に用いることができると共に、利便性および堅牢性を向上させることができる。
【００５５】
以上、本発明を種々の実施形態と共に説明したが、本発明はこれらの実施形態にのみ限定されるものではなく、本発明の範囲内で変更等が可能であり、上述した実施形態を適時組み合わせてもよい。
【００５６】
なお、上述した第２実施形態において報知部２２２は着脱筐体２０２が装着されているか否かに応じてユーザに報知する場合について説明したが、この場合に限られない。例えば、第１実施形態でも、図８のフローチャートを適用して、報知部２２２が第２の遮蔽部材１１４が取り付けられているか否かに応じてユーザに報知してもよい。
【００５７】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５８】
１００：電子カセッテ（放射線撮像装置）  １０１：筐体  １０４：撮像検出パネル（検出部）  １１１：第１の遮蔽部材  １１２、１１３：制御回路部（制御部）  １１４：第２の遮蔽部材  ２００：電子カセッテ（放射線撮像装置）  ２０１：メイン筐体（筐体）  ２０２：着脱筐体  ２０５：本体部  ２０６：カバー部  ２０７：二次電池（バッテリ）  ２２０：操作制御部  ２２１：判定部  ２２２：報知部  ２２３：決定部
【図１】
0006558909.tif 000002
【図２】
0006558909.tif 000003
【図３】
0006558909.tif 000004
【図４】
0006558909.tif 000005
【図５】
0006558909.tif 000006
【図６】
0006558909.tif 000007
【図７】
0006558909.tif 000008
【図８】
0006558909.tif 000009